(57)【要約】【課題】  横にした被結束物品の両端部を作業者が両手に持ってワンパスさせるだけでその被結束物品を結束バンドで結束できる結束装置を提供する。【解決手段】  結束装置２０には、両端部に係止孔と係止突起を有する帯状の結束バンド１１を折り曲げて通す一対の結束ローラ２８ａ、２８ｂが配置されている。両結束ローラの周縁部には、被結束物品１７を束ねる横半円筒状空間２９ａ、２９ｂがある。両結束ローラの周面最上位部位に差し渡され結束バンドの上から、被結束物品を押し下げると、両ローラが同期回転して結束バンドをほぼＵ字形に折り曲げて、被結束物品の周りに巻回する。それらをさらに降下させると、結束ローラは結束バンドの両端を係合させ、被結束物品を結束バンドで結束する。【選択図】図６
2009096550.tif 000002
【特許請求の範囲】
【請求項１】
合成樹脂製の可撓性短尺バンド（Ｂ）の一端部（Ｂ１）寄りに略長円形又は略長方形の係止孔（１２）を設けるとともに、その係止孔と係止・係脱可能な係止突起（１３）を前記可撓性短尺バンドの他端部（Ｂ２）寄りに設けたことを特徴とする結束バンド。
【請求項２】
合成樹脂製の可撓性短尺バンド（Ｂ）の一端部（Ｂ１）寄りに略長円形又は略長方形の係止孔（１２）を設けるとともに、その係止孔と係止・係脱可能な係止突起（１３）を前記可撓性短尺バンドの他端部（Ｂ２）寄りに設け、さらに前記係止孔と係止突起との間に、前記可撓性短尺バンドを側面が略Ｕ字形になるように折り曲げ易くした易屈曲部（１８）を設けたことを特徴とする結束バンド。
【請求項３】
前記係止突起（１３）は、その先端側において前記可撓性短尺バンド（こ）の幅方向に、前記係止孔（１２）の短径（Ｗ）より拡径された拡径部（１４）を有するとともに、その付け根側において前記幅方向に、前記短径と実質的に等しい幅狭部（１５）を有している請求項１記載の結束バンド。
【請求項４】
前記幅狭部（１５）は、前記係止突起（１３）の付け根部を一部分切り欠くことにより形成されている請求項３記載の結束バンド。
【請求項５】
前記幅狭部（１５）は、前記係止突起（１３）の付け根部の両側を一部分切り欠くことにより２個形成されている請求項３記載の結束バンド。
【請求項６】
前記幅狭部（１５）は、前記係止突起（１３）の付け根部の両側を一部分切り欠くことにより２個形成されているとともに、前記拡径部（１４）は、前記幅狭部が存在しない部位に係止突起を補強するリブ（１６）を有している請求項３記載の結束バンド。
【請求項７】
前記易屈曲部（１８）は、前記可撓性短尺バンド（Ｂ）の中央の一部分を切り欠くことにより形成されている請求項２記載の結束バンド。
【請求項８】
前記易屈曲部（１８）は、前記可撓性短尺バン（Ｂ）ドの中央の一部分を薄肉にすることにより、形成されている請求項２記載の結束バンド。
【請求項９】
前記易屈曲部（１８）は、前記可撓性短尺バンド（Ｂ）の中央の一部分を幅狭にすることにより、形成されている請求項２記載の結束バンド。
【請求項１０】
合成樹脂製の可撓性短尺バンド（Ｂ）の一端部（Ｂ１）寄りの部位に係止孔（１２）を有し、他端部（Ｂ２）寄りの部位に前記係止孔と係止・係脱可能な係止突起（１３）を有する結束バンド（１１）が複数個長手方向に連結された長尺な結束バンド連結体（１９）を所定の位置に供給する供給機構（Ｃ）と、前記結束バンド連結体から前記結束バンドを切断して所定の位置に準備する結束バンド準備機構（Ｄ）と、被結束物品を結束バンドとともに所定の位置に案内する案内機構（Ｅ）と、所定の位置に案内された被結束物品（１７）を結束バンドととともに束ねる結束準備機構（Ｆ）と、束ねられた被結束物品を結束バンドで結束する結束機構（Ｇ）とからなる結束装置。
【請求項１１】
合成樹脂製の可撓性短尺バンド（Ｂ）の一端部（Ｂ１）寄りの部位に係止孔（１２）を有し、他端部（Ｂ２）寄りの部位に前記係止孔と係止・係脱可能な係止突起（１３）を有する結束バンド（１１）が、複数個、長手方向に連結された長尺な結束バンド連結体（１９）を所定の位置に供給する供給機構（Ｃ）と、前記結束バンド連結体から結束バンドを切断して所定の位置に準備する結束バンド準備機構（Ｄ）と、被結束物品（１７）を結束バンドとともに所定の位置に案内する案内機構（Ｅ）と、所定の位置に案内された被結束物品を結束バンドとともに束ねる結束準備機構（Ｆ）と、束ねられた被結束物品を結束バンドで結束する結束機構（Ｇ）と、結束された結束物品を前記結束機構（Ｇ）から排出するとき、前記供給機構（Ｃ）を前進させて結束バンド連結体（１９）を所定の位置に前進させる変位機構（Ｈ）とからなる結束装置。
【請求項１２】
合成樹脂製の可撓性短尺バンド（Ｂ）の一端部（Ｂ１）寄りの部位に係止孔（１２）を有し、他端部（Ｂ２）寄りの部位に前記係止孔と係止・係脱可能な係止突起（１３）を有する結束バンド（１１）が複数個長手方向に連結された長尺な結束バンド連結体（１９）を所定の位置に供給する供給機構（Ｃ）と、前記結束バンド連結体から結束バンドを切断して所定の位置に準備する結束準備機構（Ｄ）と、被結束物品（１７）を所定の位置に案内する案内機構（Ｅ）と、所定の位置に案内された被結束物品を所定の位置に保持された結束バンドとともに束ねる一対の結束ローラ（２８ａ、２８ｂ）及びそれら結束ローラの周縁部に形成した一対の半円筒状空間（２９ａ、２９ｂ）を有している結束準備機構（Ｆ）と、束ねられた被結束物品を結束バンドで結束する結束機構（Ｇ）と、結束された被結束物品を前記結束機構（Ｇ）から排出するとき、前記供給機構（Ｃ）を前進させて結束バンド連結体を所定の位置に前進させる変位機構（Ｈ）と、前記変位機構が前進するとき、その前進に連動して前記結束ローラ（２８ａ）を回動させる回動機構（Ｉ）とからなる結束装置。
【請求項１３】
前記結束バンド準備機構（Ｄ）が、前記結束バンド（１１）の厚み略２倍の隙間（ｓ）をあけて同一水準上に近接する一対の結束ローラ（２８ａ，２８ｂ）と、それらの周面上の最上位の部位とからなっている請求項１０，１１又は１２に記載の結束装置。
【請求項１４】
前記結束準備機構（Ｆ）が、一対の結束ローラ（２８ａ，２８ｂ）と、それらの周縁部に形成した一対の横半円筒状空間（２９ａ，２９ｂ）とからなっている請求項１０，１１又は１２に記載の結束装置。
【請求項１５】
前記結束機構（Ｇ）が、一対の前記結束ローラ（２８ａ，２８ｂ）と、それらの結束ローラの周縁部に形成された一対の横半円筒状空間（２９ａ、２９ｂ）と、前記結束ローラの一つの幅方向中央の一部分を切り欠いて現出させた切欠き空間（３０）とからなっている請求項１０，１１又は１２に記載の結束装置。
【発明の詳細な説明】
【技術分野】
【０００１】  本発明は、野菜や草花、工業製品等の被結束物品をそのまま、又は包装袋に入れた菓子等の被結束物品を包装袋の首部とともに結束する結束バンド及びそれを使用する結束装置に関する。
【背景技術】
【０００２】  従来、前記被結束物品等を結束バンドで結束する方法として、図１１に示すように、結束しようとする物品、すなわち、被結束物品１を結束バンド２として接着テープを使用して結束する方法や、図１２に示すように、側面がコ字形をなす把持部材３で被結束物品１を囲い込んでから、その把持部材３の先端部にピン部材４を挿入して、被結束物品１を結束する方法等が公知である（特開２００２−３０８２９６号公報）。【０００３】  前者の方法は、結束バンドが低廉であるという利点を有し、後者の方法は、確実に被結束物品を結束できるという効果を発揮している。
【特許文献】  特開２００２−３０８２９６号公報
【発明の開示】
【発明が解決しようとする課題】
【０００４】  しかしながら、前者の方法で結束された結束物品からその一部を分離して、残りの結束物品を、再度、結束バンドで結束しようとしても、結束バンドの接着を解くことが困難であるのみならず、仮に結束を解いてから、再度、結束物品をそれまで使用されてきた接着テープで結束しようとしても、接着テープはその接着機能を発揮しないという問題がある。【０００５】  他方、後者の方法は、把持部材３からピン部材４を外したり、再度ピン部材４を把持部材３の挿入孔に挿入したりする操作を必要とし、少なくとも、結束装置を使用して被結束物品を結束するには不向きであるという問題がある。
【発明の開示】
【発明が解決しようとする課題】
【０００６】  そこで、本発明者は、一旦結束した結束物品から結束バンドを外して結束物品の一部を分離した後、残りの結束物品を、再度、結束することが可能な結束バンド及びその結束バンドを使用して被結束物品を結束できる機械的信頼性の高い結束装置を提案すべく、鋭意、検討したところ、その結束バンドを特定の構造に改造するとともに、結束装置を特有の諸機構を有機的に組み合わせて構成すればよいという事実を見出し、本発明を完成した。【０００７】  従って、本発明の課題は、一旦結束した結束物品から結束バンドを外して結束物品の一部を分離した後、残りの結束物品を、再度、結束を可能にする構造の結束バンド及びその結束バンドを使用して被結束物品を結束できる機械的信頼性の高い結束装置を提供することにある。
【課題を解決するための手段】
【０００８】  本発明は前記の課題を解決するために、合成樹脂製の可撓性短尺バンドの一端部寄りに係止孔を設けるとともに、その係止孔と係止・係脱可能な係止突起を前記可撓性短尺バンドの他端部寄りに設けた構造の結束バンドを被結束物品の結束に使用する。【０００９】  さらに、被結束物品を結束するとき、結束バンドを略二つ折りのＵ字形になるように被結束物品を束ねるために、結束バンドの係止孔と係止突起との間に易屈曲部を設ける。そして、この易屈曲部を、前記可撓性短尺バンド中央の一部分を切り欠く方法、可撓性短尺バンド中央の一部分を薄肉にする方法又は可撓性短尺バンド中央の一部分を幅狭にする方法等により形成する。【００１０】  さらに、本発明において一旦結束した被結束物品から結束バンドを外し易くするための前記係止突起として、該結束バンドの先端側において可撓性短尺バンドの幅方向に、前記係止孔の短径より拡径された拡径部を有するとともに、その付け根側において前記幅場方向に、前記短径と実質的に等しい幅狭部を有する構造にする。そして、この幅狭部として、前記係止突起の付け根部の片側又は両側の一部分を切り欠いた構造にする。また、前記幅狭部として、前記係止突起の付け根部の両側を一部分切り欠いて形成した切欠きを２個形成した場合に、係止突起の機械的特性が損なわれるので、これを補強するために、係止突起の付け根部が切り欠かれることなく残った付け根部にリブを形成し、そのリブにより前記係止突起を補強する。【００１１】  他方、前記結束バンドを使用して被結束物品を結束する結束装置として、合成樹脂製の可撓性短尺バンドの一端部寄りの部位に係止孔を有し、他端部寄りの部位に前記係止孔と係止・係脱可能な係止突起を有する構造の結束バンドが複数個長手方向に連結された長尺な結束バンド連結体を所定の位置に供給する供給機構と、前記結束バンド連結体から前記結束バンドを切断して所定の位置に保持する結束バンド準備機構と、被結束物品を結束バンドとともに所定の位置に案内する案内機構と、所定の位置に案内された被結束物品を、所定の位置に保持された結束バンドとともに、束ねる結束準備機構と、束ねられた被結束物品を結束バンドで結束する結束機構とからなる結束装置を使用する。【００１２】  さらに本発明は、前記の要素から構成される結束装置の機械的信頼性をたかめるために、前記供給機構、前記結束バンド準備機構、前記案内機構、前記結束準備機構及び前記結束機構に加えて、結束された結束物品を前記結束準備機構から排出するとき、前記供給機構を前進させて結束バンド連結体を所定の位置に前進させる変位機構を具備する結束装置とする。【００１３】  上記の要素からなる結束装置を使用して、まず、供給機構が、特定の構造を有する長尺な結束バンド連結体を結束装置の所定の位置（第一部位）に供給すると、その位置で結束バンド準備機構が結束バンド連結体から短尺な結束バンドを分離する。次いで、作業者が、結束バンドの上方から前記案内機構を通して結束バンドとともに被結束物品を前記第一部位から他の所定の位置（第二部位）に移動させる。【００１４】  すると、第二部位で前記結束準備機構が被結束物品を束ねると同時に、束ねられた被結束物品の首部の周り���結束バンドを巻回する。そして、結束機構が結束バンドの両端部寄りの部位同士を当接させて被結束物品を結束バンドで結束する。この結束バンドで束ねられた結束物品を作業者が第二部位から結束物品の排出位置（第三部位）に降下させて排出させる。【００１５】  そのとき、前記変位機構が前記供給機構を前進させて、結束バンド連結体を所定の位置に前進させる。そのため、結束バンド連結体が機械的にかつ確実に前記第一部位に移送され、結束装置は、上記した結束作業の反復体制に入ることを可能にする。【００１６】  前記構造の結束装置において、前記結束準備機構として、一対の結束ローラを使用するとともに、その周縁部に横半円筒状空間を保有させる。すると、作業者が、結束バンドの上方から前記案内機構を通して結束バンドとともに被結束物品を前記第一部位から他の所定の位置（第二部位）に移動させたとき、前記横半円筒状空間内において被結束物品を容易に束ねることができる。【００１７】  前記構造の結束装置において、前記結束準備機構を一対の結束ローラから構成し、その結束ローラに横半円筒状空間を保有させる。すると、前記同様にして結束バンドの上方から前記案内機構を通して結束バンドとともに被結束物品を前記第一部位から第二部位に移動させたとき、一対の横半円筒状空間の間で被結束物品を容易に束ねることができる。【００１８】  さらに前記構造の結束装置において、前記結束機構を一対の結束ローラから構成し、前記結束ローラに横半円筒状空間を保有させるとともに、前記結束ローラの幅方向中央にその一部分を切り欠いて現出させた切欠き空間を保有させることにより、被結束物品の首部の周りに巻回した結束バンドの両端部寄りの部位を合体させたとき、一方の部位にある係止孔に対して、他方の部位にある係止突起を嵌合させることができる。その結果、被結束物品は結束バンドによって結束される。【００１９】  さらに加えて、本発明に係る結束装置を、前記供給機構と、前記結束バンド準備機構と、前記案内機構と、前記結束準備機構と、前記結束機構と、前記変位機構とに加えて、前記変位機構が前進するとき、その前進に連動して前記結束ローラを回動させる回動機構とから構成する。すると、前記結束ローラは逆回動してもとの回動位置まで戻る。その結果、被結束物品を前述したように結束バンドで結束する反復結束体勢に入れることを可能にする。【００２０】  なお、本発明に係る結束装置に係る供給機構、結束バンド準備機構、案内機構、結束準備機構、前記結束機構及び回動機構のそれぞれは、機械要素的に明確に区画されたものではなく、それら機構を構成するそれぞれの機械要素が隣接する機構において重複して使用される場合もある。また「横半円筒状空間」を「結束部」とも称する。
【発明の効果】
【００２１】  本発明は、被結束物品の両端部を作業者が手に持って一気に押し下げると、特定の結束バンドが被結束物品の首部の周りに回って被結束物を結束するとともに、同時に、結束装置の所定の位置に後続する被結束物品を結束する結束過程のために結束バンドを確実に用意することができ、その結果、装置の機械的信頼性を著しく向上させることができる。
【発明を実施するための最良の形態】
【００２２】  次に、図面を参照しながら、本発明を実施するための最良の実施形態について詳述する。図１及び図２に示すように、本発明に係る結束装置に使用され結束バンド１１は、合成樹脂シートを所定の形状に裁断成形した可撓性短尺バンドＢからなり、その一端部Ｂ１寄りに長円形又は長方形の係止孔１２を有するとともに、他端部Ｂ２に前記係止孔１２と係止・係脱可能な係止突起１３を有する。【００２３】  なお、ここで係止・係脱可能とは、後述するように、結束バンド１１をＵ字形に屈曲させたとき、前記係止孔１２に対して係止突起１３を機械的に嵌め込むことができるとともに、一旦嵌めこんだ後において、結束バンド１１（短尺バンドＢ）の二つの端部Ｂ１、Ｂ２を人為的に引き離すことができるという意味である。両者を引き離すのに要する力も、結束作業をする作業者又は結束された結束物品を使用するユーザーが自分の両手で結束を解くことができる範囲にある。【００２４】  本発明において、前記係止孔１２と係止・係脱可能な係止突起１３は図３に示すように、短尺バンドＢの片面から略垂直に立ち上がる短筒体からなっているとともに、その先端が半円球状をなしている。そして、係止突起１３の先端側には、前記係止孔１２の短径Ｗより拡径された拡径部１４が形成されている。また、係止突起１３の付け根の両側において幅方向には、前記短径Ｗと実質的に等しい、又は僅かに狭い幅狭部１５が２個切欠き形成されている。【００２５】  さらに、前記係止突起１３は、その付け根部が一部分切り欠かくことにより、係止突起１３の機械的特性が低下するので、これを補強するために、前記付け根部が切り欠かれることなく残った部位には、内方を向く２個の縦リブ１６が設けられている。【００２６】  このような形状・構造を有する結束バンド１１を使用して被結束物品を結束するとき、図４に示すように、結束バンド１１で被結束物品１７を束ね易くするとともに、結束バンド１１を側面略Ｕ字形に曲げ易くするために、図１、図２及び図４に示すように、結束バンド１１の係止孔１２と係止突起１３との間に易屈曲部１８が設けられている。【００２７】  このような機能を発揮する易屈曲部１８としては、図１、図２及び図４に示すように、可撓性短尺バンドＢ中央の一部分を切り欠き形成したものが典型的に採用されるが、可撓性短尺バンドＢの中央の一部分を薄肉にしたり幅狭にしたりする形状のものも採用できる。【００２８】  なお、本発明に係る結束バンド１１は、図５に示すように、結束バンド１１が複数個長手方向に連結した長尺な結束バンド連結体１９として製造され、その結束バンド連結体１９を、本発明に係る結束装置に供給して分断することにより短尺な結束バンド１１に分離され、被結束部品の結束に供される。【００２９】  次に、図６〜図９に基づいて、本発明に係る結束装置の構造と機能について詳述する。前記結束装置２０は、前記結束バンド連結体１９を結束装置２０の第一部位に供給する供給機構Ｃと、その供給機構Ｃにより第一部位に供給された結束バンド連結体１９から結束バンド１１を分断する結束バンド準備機構Ｄと、被結束物品１７を結束装置２０の第二部位に案内する案内機構Ｅと、その案内機構Ｅに案内された被結束物品１��を、第二部位に供給された結束バンド１１とともに束ねる結束準備機構Ｆと、その結束準備機構Ｆで束ねられた被結束物品１７を結束バンド１１で結束する結束機構Ｇと、前記供給機構Ｃを前進させて結束バンド連結体１９を第一部位に前進させる変位機構Ｈと、該変位機構Ｈの前進に連動して前記結束準備機構Ｆ及び結束機構Ｇの構成要素を回動させる回動機構Ｉとから構成される。【００３０】  これらの機構は、平行に立設された２枚の方形垂直主基板２１、２２そのものと、それらを間隔維持部材２３を介して連結することにより形成した所定空間内において、種々の機械要素を組み合わせて具現化されるが、各機構の本質的機能が維持される限度において、前記機械要素を同様の機能を有する他の要素に変更することは当然に許容される。以下、各機構について、順次、説明をするが、その説明において便宜上右側又は左側と称する場合は、該当する図面の右側又は左側を意味し、本発明の結束装置２０における右側又は左側を意味するものではない。【００３１】  まず、本発明に係る結束装置２０において前記主基板２１、２２の上部左側コーナー寄りの部位から下方に向かって、案内機構Ｅの構成要素として、被結束物品１７の案内通路２７が形成されている。そして、この案内通路２７は、上に向かってテーパー状に拡開している誘導口２４と、胃袋状に切り欠かれた抜取り口２５と、それらを繋ぐ食道状の中央通路２６とから構成され、次のような機能を発揮する。すなわち、被結束物品１７の結束作業をする作業者が結束装置２０を横切るように被結束物品１７の両端側を両手で持って、誘導口２４から押し下げると、被結束物品１７を所定の位置（第二部位）まで降下を許容する機能を発揮する。被結束物品１７が第二部位まで降下すると、後述する前記結束準備機構と結束機構が被結束物品１７を結束バンド１１で結束する機能を発揮する。そして、結束された結束物品１７ａは、続いて第三部位の抜取り口２５から抜取り可能になる。従って、本発明において結束されるべき被結束物品１７は、概ね細長い形状を有しているものに限られる。【００３２】  次に、本発明に係る結束装置２０において前記誘導口２４の下方には、被結束物品１７と結束バンド１１とを束ねる結束準備機構Ｆと、この結束準備機構Ｆにより結束バンド１１で被結束物品１７を結束する結束機構Ｇとが形成されている。これらの機構Ｆ、Ｇは、共通の主要素である一対の結束ローラ２８ａ、２８ｂからなり、それらは、結束バンド１１の厚みの２倍に相当する隙間ｓを以って設置されているとともに、それらの外周面のうち相互に最も近接する近接外周面が前記案内通路２７の中央通路２６の中に位置する。【００３３】  一対の前記結束ローラ２８ａ、２８ｂの外周面には、横半円柱状に切り欠かれた結束部２９ａ、２９ｂが形成されており、作業者により中央通路２６中に被結束物品１７を降下させるとき、結束部２９ａ、２９ｂは、図６に示すように、互いに共働して被結束物品１７を受容可能な方向を向いて開口している。結束部２９ａ、２９ｂが被結束物品１７を受容した結束部２９ａ、２９ｂから被結束物品１７をさらに降下させることにより結束ローラ２８ａ、２８ｂは同期回転する。そして、結束部２９ａ、２９ｂは所定位置まで回動して相対峙し、横断面が略円筒状の空間を形成する。本発明においては、この結束ローラ２８ａ、２８ｂ及び結束部２９ａ、２９ｂを、被結束物品１７と結束バンド１１とを束ねる「結束準備機構Ｆ」と称する。【００３４】  さらに、図７に示すように、前記結束ローラ２８ａ、２８ｂのうち、少なくとも一つの結束ローラ２８ａの周縁部において前記結束部２９ａに近接した部位には、その幅方向中央の一部分を切り欠いて現出させた切欠き空間部３０が形成されており、後述するように被結束物品１７を結束バンド１１が結束したとき、その係止突起１３が前記ローラ２８ａに干渉しないようになっている。本発明においては、この結束ローラ２８ａ、２８ｂ、結束部２９ａ、２９ｂ及び切欠き空間部３０を、結束バンド１１で被結束物品１７を結束する「結束機構Ｇ」と称する。【００３５】  さらに本発明に係る結束装置２０において前記誘導口２４の開口端寄りには、その開口端を遮断する遮断機３１が設けられており、結束しようとする結束物品１７そのものを作業者が下方に降下させて前記遮断機３１を押し下げると、被結束物品１７を案内通路２７に誘導可能になる。本発明においては、前記遮断機３１と案内通路２７を、被結束物品１７を第二部位に案内する「案内機構Ｄ」と称する。【００３６】  このように遮断機３１を、結束しようとする結束物品１７で以って、下方に押し付けると、直接的又は間接的に遮断機３１と同期して切断機３２が作動する。そして、先端部が前記結束ローラ２８ａ、２８ｂの上にまで延びるように、結束装置２０に供給された結束バンド連結体１９から、その一部分を切断機３２が切り出し、図７に示すように、切り出された結束バンド１１を第一部位、すなわち、前記結束ローラ２８ａ、２８ｂの周面の最上位の部位に水平状態で準備する。本発明においては、前記遮断機３１、切断機３２及び結束ローラ２８ａ、２８ｂの周面の最上位の部位を、結束バンド連結体１９から連結バンド１１を切断して所定位置に保持して準備する「結束バンド準備機構Ｃ」と称する。【００３７】  本発明に係る結束装置２０の案内通路２７内において、被結束物品１７が作業者によりさらに押し下げられると、前記結束ローラ２８ａ、２８ｂの周面上に保持された結束バンド１１も押し下げられる。同時に結束ローラ２８ａ、２８ｂの結束部２９ａ、２９ｂに被結束物品１７が入るので、作業者がその被結束物品１７をさらに押し下げると、結束ローラ２８ａ、２８ｂは矢印Ａの向きに回動し、遂には、図８に示すように、結束ローラ２８ａ、２８ｂの結束部２９ａ、２９ｂが相対峙し、結束バンド１１とともに被結束物品１７が束ねられる。なお、本発明に係る結束装置２０において前記結束部２９ａ、２９ｂの下面側に、結束ローラ２８ａ、２８ｂ間に形成されている隙間を水平方向に向かって投影的に塞ぐストッパー３３が前記結束ローラ２８ａ、２８ｂの少なくとも一つの側面に設けられている。【００３８】  さらに被結束物品１７を押し下げて結束ローラ２８ａ、２８ｂを回動させると、図４に示すように、結束バンド１１の両端部Ｂ１、Ｂ２が結束ローラ２８ａ、２８ｂに押し潰されて、一端部Ｂ１側にある係止孔１２に対して他端部Ｂ２側にある係��突起１３が嵌めこまれる。このとき、図８に示すように、結束バンド１１の一端側にある結束ローラ２８ａには所定の切欠き空間部３０が設けられているので、前記係止孔１２を貫通して結束バンド１１の外側に突出した係止突起１３は、結束ローラ２８ａと干渉することはない。【００３９】  結束バンド１１において係止孔１２に嵌め込まれた係止突起１３は、係止孔１２と係合して、被結束物品１７を結束バンド１１で結束する。結束バンド１１で結束された結束物品１７ａをさらに降下させると、図９に示すように、結束物品１７ａは、第三部位、すなわち案内通路２７の抜取り口２５に到達するので、その抜取り口２５から結束物品１７ａを結束装置１０の横方向に抜き出することが可能になる。【００４０】  本発明に係る結束装置２０において、このような結束動作をより効率的に反復させるために、一対の結束ローラ２８ａ、２８ｂ、それらの周面及び切欠き空間部３０からなる結束機構Ｇから結束物品１７ａを排出するとき、前記結束バンド連結体１９を前進させて、次の結束体勢に入れるようにするために、さらに変位機構Ｈが前記諸機構に付加して設けられている。【００４１】  前記変位機構Ｈは、結束物品１７ａが前記案内通路２７を降下するとき、その降下を感知するセンサー要素４０と、結束バンド連結体１９の把持要素５０と、前記センサー要素４０の作動に感応して前記把持要素５０を前進させる伝達要素６０とから構成されている。【００４２】  本発明において、前記センサー要素４０はほぼ直角三角形状の金属板から構成され、前記結束ローラ２８ａの右斜め下方に設けた第一支軸４１にセンサー要素４０の直角部４０ａを支持させるとともに、頂点部４０ｂに前記案内通路２７を遮断したり開放したりする機能を具備させている。【００４３】  結束バンド連結体１９の把持要素５０は、結束装置２０の主基板２１、２２のいずかに固定された滑動軸５１に滑動自在に外挿されており、その底面側に前記伝達要素６０と連結する連結部５２を有するとともに、上面側に結束バンド連結体１９を係止させる傾斜屋根状の係止部５３を有している。なお、結束バンド連結体１９は、それを作業者が結束装置２０の右側から把持要素５０側に押し込むと、図示されていない案内通路を通って前記係止部５３上を乗り越えるので、さらに結束バンド連結体１９の先端部を二つの結束ローラ２８ａ、２８ｂの周面上に載置すれば、結束バンド連結体１９は供給機構Ｃの第一部位に供給可能になる。【００４４】  また、前記伝達要素６０は、結束装置２０の主基板２１、２２のいずかに固定された第二支軸６１に途中が軸支された回動レバー６２と、その回動レバー６２の基端部６２ａと前記センサー要素４０の仰角部４０ｃとを連結ピンを介して連結する第一連結バー６３と、前記回動レバー６２の失端部６２ｂと前記把持要素５０の連結部５２とを連結ピンを介して連結する第二連結バー６４とからなる。【００４５】  さらに、本発明に係る結束装置２０において、前記変位機構Ｈが前進するとき、その前進に連動して前記結束ローラ２８ａを回動させる回動機構Ｉが、前記変位機構Ｈと前記結束準備機構Ｆ（又は結束機構Ｇ）との間に設けられている。【００４６】  この回動機構Ｉは、前記把���要素５０の連結部５２に対して基端部７０ａが連結ピンを介して連結されている第三連結バー７０と、その第三連結バー７０に対して基端部７１ａが連結ピンを介して連結され、先端部７１ｂが前記結束ローラ２８ａに対して固定されている回動体７１とから構成されている。なお、前記第三連結バー７０と回動体７１とは、絶えずＶ字形をなすように、回動体７１の先端部７１ａが結束ローラ２８ａの回転軸から延びている。【００４７】  さらに前記回動体７１の先端部７１ｂは基端部７１ａに比較して箒状に拡がっており、その左側コーナー部７２ｂは、結束ローラ２８ａの側面においてその結束部２９ａより放射方向外側に若干突出形成され、回動位置によっては、図６に示すように、他の結束ローラ２８ｂの側面において放射方向内側にまで少し入り込むことが可能になっている。この左側コーナー部７２ｂは、前述したストッパー３３と同様にそれと相対峙して、前記結束部２９ａ、２９ｂの下面側において結束ローラ２８ａ、２８ｂ間に形成されている隙間を水平方向に向かって投影的に塞ぐ機能を発揮している。【００４８】  他方、前記結束準備機構Ｆ又は結束機構Ｇの構成要素であるもう一つの結束ローラ２８ｂのピン８０と、主基板２１、２２の左下側に取り付けられているピン８１との間には１本の発条体８２が係止されている。そして、結束ローラ２８ａ、２８ｂの結束部２９ａ、２９ｂ間に移動させた被結束物品１７を結束バンド１１で結束した後に、図９に示すように、結束部２９ａ、２９ｂ間から結束物品１７ａを排出するとき、結束ローラ２８ａの回動とは非連動的に、結束ローラ２８ｂを元の回動位置に戻す機能を発揮している。【００４９】  上記の構造を有する前記変位機構Ｈ及び回動機構Ｉは、次の作用・効果を発揮する。すなわち、作業者が結束部２９ａ、２９ｂ間から結束物品１７ａを排出するとき、図９に示すように、その結束物品１７ａがセンサー要素４０の頂点部４０ｂを下方に押すことになるが、このとき、センサー要素４０が第一支軸４１を中心に回動する。【００５０】  すると、センサー要素４０の仰角部４０ｂも回動して、第一連結バー６３を介して回動レバー６２を回動させる。回動レバー６２が回動すると、その先端部６２が第二連結バー６４を介して滑動軸５１に外挿されて把持要素５０を前進させ、図８に示す段階を経て、図６に示す位置まで変位させる。このとき、把持要素５０の係止部５３が結束バンド連結体１７を係止して確実に前進させる。この状態になると、上述したような結束過程の反復が確実になる。従って本発明に係る結束装置の機械的信頼性が向上する。【００５１】  また、前記したように、前記把持要素５０が前進すると、その連結部５０が第三連結バー７０を前進させる。すると、第三連結バー７０が回動体７１を回動させるので、その左側コーナー部７２ｂ並びに結束ローラ２８ａ及び結束部２９ａも回動し、最終的には、図８に示すようになる。すなわち、結束部２９ａは被結束物品１７を受け入れられる位置まで回動するとともに、結束部２９ａが被結束物品１７を受け入れたとき、その被結束物品１７が結束部２９ａから下方に落下しないように、左側コーナー部７２ｂは結束部２９ａ内における被結束物品１７のストッパー機能を発揮する。【００５２】  他方、作業者が結束部２９ａ、２９ｂ間から結束物品１７ａを排出したとき、もう一つの結束ローラ２８ｂは、発条体８２に収縮力が作用するので、この結束ローラ２８ｂも被結束物品１７を受け入れられる位置まで回動するとともに、結束部２９ｂが被結束物品１７を受け入れたとき、その被結束物品１７が結束部２９ｂから下方に落下しないように、ストッパー３３は結束部２９ｂ内に被結束物品１７の留める機能を発揮する。【００５３】  以上詳述したように、作業者が被結束物品１７を横にして両手に持った状態でかつワンパスで案内通路２７を降下させる結束動作過程で、本発明に係る結束装置２０は、その被結束物品１７の周りに結束バンド１１を巻回して束にするとともに、結束が終了した結束物品１７ａを結束装置２０から排出する過程で、次に被結束物品１７を結束バンド１１で結束する反復結束体勢を準備するという優れた効果を発揮する。【００５４】  本発明は、その根本的技術思想を踏襲し発明の効果を著しく損なわない限度において、前記実施態様の一部分を変更して実施することができる。例えば、図１０に示すように、結束バンド１１の係止孔１２の平面を長方形にして、その長辺１２ａ側の端部寄りの部位に一対の切欠き１２ｂを形成することにより、中央部側部位を自由端１２ｃして、係止突起１３の係合・係脱をし易くすることもできる。
【産業上の利用可能性】
【００５５】  本発明は、被結束物品を包装袋に入れてその包装袋の首部を結束バンドで結束する分野や、複数本の野菜な草花又は工業製品を束ねて結束バンドで結束する分野に広く利用することができる。
【図面の簡単な説明】
【００５６】
【図１】  本発明に係る結束バンドの斜視図である。
【図２】  同じく平面図である。
【図３】  前記結束バンドにおける係止突起の部分断面・側面図である。
【図４】  本発明に係る被結束物品を結束バンドで結束した状態を示す部分側面図である。
【図５】  本発明に係る結束バンド連結体の部分斜視図である。
【図６】  本発明の実施例２に係る結束装置の部分破断側面図である。
【図７】  前記装置に使用される結束ローラの斜視図である。
【図８】  本発明に係る結束装置における一作動過程を示す側面図である。
【図９】  同じく他の作動過程を示す側面図である。
【図１０】  本発明に係る結束バンドの他の態様を示す部分平面図である。
【図１１】  従来技術を示す部分側面図である。
【図１２】  同様に他の従来技術を示す側面図である。
【符号の説明】
【００５７】  １：被結束物品（又は結束物品）、２：接着テープ、３：把持部材、４：挿入孔、５：ピン部材、６：結束具、１１：結束バンド、１２：係止孔、１３：係止突起、１４：拡径部、１５：幅狭部、１６：リブ、１７：被結束物品、１７ａ：結束物品、１８：易屈曲部、１９：結束バンド連結体、２０：結束装置、２１：主基板、２２：主基板、２３：間隔維持部材、２４：誘導口、２５：抜取り口、２６：中央通路、２７：案内通路、２８ａ、２８ｂ：結束ローラ、２９ａ、２９ｂ：結束部、３１：遮断機、３２：切断機、Ａ：矢印、Ｂ：短尺バンド、Ｂ１：一端部、Ｂ２：他端部、Ｃ：供給機構、Ｄ：結束バンド準備機構、Ｅ：案内機構、Ｆ：結束準備機構、Ｇ：結束機構、Ｈ：変位機構、Ｉ：回動機構、Ｗ：短径。
【図１】
2009096550.tif 000003
【図２】
2009096550.tif 000004
【図５】
2009096550.tif 000005
【図３】
2009096550.tif 000006
【図４】
2009096550.tif 000007
【図１０】
2009096550.tif 000008
【図６】
2009096550.tif 000009
【図７】
2009096550.tif 000010
【図８】
2009096550.tif 000011
【図９】
2009096550.tif 000012
【図１１】
2009096550.tif 000013
【図１２】
2009096550.tif 000014